【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
ボールを打つように構成された打球面を有するフェース；
該フェースに接続されかつ該フェースから後方に延びるボディであって、該フェースの少なくとも一つの周縁に隣接して配置されたインパクトに影響する構造を有し、ボールとのインパクトによって生成される力の少なくとも一部分が該インパクトに影響する構造に吸収され、該ボールとのインパクト時にヘッドによって生成される反発力の少なくとも一部分が該インパクトに影響する構造によって生成される、ボディ
を含み、
該フェースが、該フェースの幾何学的中心の近くにおいて約4,600〜5,600lb-in2の剛性を有する、
打球装置。
【請求項２】
前記インパクトに影響する構造が、前記フェースの少なくとも一つの周縁に隣接して前記ボディの周縁部の周りに延びる少なくとも一つの細長い凹んだチャネルを含む、請求項1記載の打球装置。
【請求項３】
前記チャネルが前記ボディの外面に位置する、請求項2記載の打球装置。
【請求項４】
前記チャネルが前記ボディの内面に位置する、請求項2記載の打球装置。
【請求項５】
前記インパクトに影響する構造が、前記ボディの、前記フェースの材料よりも低いモジュラスを有する可撓性材料で形成された領域を含む、請求項1記載の打球装置。
【請求項６】
前記フェースが、該フェースの剛性を高める補剛構造を有する、請求項1記載の打球装置。
【請求項７】
前記フェースが、前記打球面を形成するフェースプレートと、該フェースプレートの内側面に接続された多孔性補剛構造とを含む、請求項1記載の打球装置。
【請求項８】
前記多孔性補剛構造が、六角形のチャンバを有するハニカム構造を形成する複数の内壁を含む、請求項7記載の打球装置。
【請求項９】
前記フェースがリヤプレートをさらに含み、前記多孔性補剛構造が前記フェースプレートと該リヤプレートとの間に挟まれている、請求項7記載の打球装置。
【請求項１０】
ボールとのインパクトによって生成される力の大部分が前記インパクトに影響する構造に吸収され、該ボールとのインパクト時に前記ヘッドによって生成される反発力の大部分が該インパクトに影響する構造によって生成される、請求項1記載の打球装置。
【請求項１１】
打球面を有しかつ複数のフェース縁によって画定されているフェース；
該フェースに接続されかつ該フェース縁から後方に延びて、包囲された容積を画定しているボディであって、ヒール面、トウ面、クラウンおよびソールを有する、ボディ；
該ボディの全周にわたって連続的に延びかつ該フェース縁からほぼ等しい距離にある第一および第二の境界縁によって該ボディ上に画定されているチャネルであって、該第一および第二の環状の境界縁の間で該ボディの外面から凹んでおり、該クラウンを少なくとも部分的に横切って延びるクラウンチャネル部分と、該ソールを少なくとも部分的に横切って延びるソールチャネル部分と、該ヒール面および該トウ面の周りに延びて該クラウンチャネル部分および該ソールチャネル部分を相互接続して連続形状のチャネルを形成するさらなるチャネル部分とを含む、チャネル
を含み、
該チャネルが、スペーシング部分によって該フェース縁から後方に離間されており、
該チャネルが、該打球面におけるインパクトに由来するエネルギーの少なくとも一部が該スペーシング部分を介して伝達されて該チャネルに吸収され、それにより該チャネルが変形して該フェースに反発力を加えるように構成されている、
打球装置。
【請求項１２】
前記チャネルが、前記インパクトのエネルギーの大部分が該チャネルに吸収され、該インパクト中の前記フェースのフェース反発の大部分が、該チャネルによって該フェースに加えられる反発力から直接導出されるように構成されている、請求項11記載の打球装置。
【請求項１３】
前記フェースが、該フェースの幾何学的中心の近くにおいて、約4,600〜5,600lb-in2の剛性を有する、請求項12記載の打球装置。
【請求項１４】
前記フェースが、表面に前記打球面を有するフェースプレートと、該フェースプレートの内面と係合したセル状補剛構造とをさらに含む、請求項11記載の打球装置。
【請求項１５】
打球面を有しかつ複数のフェース縁によって画定されているフェース；
該フェースに接続されかつ該フェース縁から後方に延びて、包囲された容積を画定しているボディであって、ヒール面、トウ面、クラウンおよびソールを有する、ボディ；
該ヒール面に近い第一端と該トウ面に近い第二端との間に延びる第一および第二の境界縁によって該ボディ上に画定されている第一のチャネルであって、該ボディの該クラウンを少なくとも部分的に横切って延び、該第一の縁および該第二の縁の間で該ボディの外面から内方に凹んでいる、第一のチャネル；
該ヒール面に近い第三端と該トウ面に近い第四端との間に延びる第三および第四の境界縁によって該ボディ上に画定されている第二のチャネルであって、該ボディの該ソールを少なくとも部分的に横切って延び、該第三の縁および該第四の縁の間で該ボディの該外面から内方に凹んでいる、第二のチャネル
を含み、
該第一端が該第三端から離間されており、該第二端が該第四端から離間されており、そのため、該第一のチャネルと該第二のチャネルとが完全に切り離されており、
該第一および第二のチャネルがスペーシング部分によって該フェース縁から後方に離間されており、
該第一および第二のチャネルが、該打球面におけるインパクトに由来するエネルギーの少なくとも一部が該スペーシング部分を介して伝達されて該第一および第二のチャネルの少なくとも一つに吸収され、それにより該第一および第二のチャネルの該少なくとも一つが変形して該フェースに反発力を加えるように構成されている、
打球装置。
【請求項１６】
前記第一および第二のチャネルを含む、前記ボディの少なくとも一部分が、前記フェースの剛性よりも低い剛性を有する、請求項15記載の打球装置。
【請求項１７】
前記第一端および前記第二端がいずれも前記ヘッドの最外周の一方の側に位置し、かつ前記第三端および前記第四端がいずれも該最外周の反対側に位置する、請求項15記載の打球装置。
【請求項１８】
前記ボディの、少なくとも前記第一のチャネルおよび前記第二のチャネルを含む部分が、該ボディの第二の部分の材料よりも低いモジュラスを有する可撓性材料で形成されている、請求項15記載の打球装置。
【請求項１９】
前記ボディの前記第二の部分が前記スペーシング部分を含む、請求項18記載の打球装置。
【請求項２０】
前記フェースが、該フェースの剛性を高める補剛構造を有する、請求項15記載の打球装置。
【請求項２１】
前記フェースが、前記打球面を形成するフェースプレートと、該フェースプレートの内側面に接続された多孔性補剛構造とを含む、請求項15記載の打球装置。
【請求項２２】
前記多孔性補剛構造が、六角形のチャンバを有するハニカム構造を形成する複数の内壁を含む、請求項21記載の打球装置。
【請求項２３】
前記フェースがリヤプレートをさらに含み、前記多孔性補剛構造が前記フェースプレートと該リヤプレートとの間に挟まれている、請求項21記載の打球装置。
【請求項２４】
ボールとのインパクトによって生成される力の大部分がインパクトに影響する構造に吸収され、該ボールとのインパクト時にヘッドによって生成される反発力の大部分が該インパクトに影響する構造によって生成される、請求項15記載の打球装置。
【請求項２５】
前記第一のチャネルが、該第一のチャネルの中心の近くにおいて前記第一端および前記第二端よりも深く凹んでおり、かつ該第一のチャネルの深さが、該第一端および該第二端から該中心に向けて徐々に深くなっており、かつ前記第二のチャネルが、該第二のチャネルの中心の近くにおいて前記第三端および前記第四端よりも深く凹んでおり、かつ該第二のチャネルの深さが、該第三端および該第四端から該中心に向けて徐々に深くなっている、請求項15記載の打球装置。
【請求項２６】
前記フェースがフェース部材の一部として形成されており、かつ前記ヘッドが、該フェース部材に接続されかつ前記ボディの少なくとも一部分を形成するボディ部材をさらに含む、請求項15記載の打球装置。
【請求項２７】
前記フェース部材が、前記フェースおよび該フェースから後方に延びる壁を含み、該壁が前記ボディ部材と組み合わさって前記ボディを画定し、前記第一のチャネルおよび前記第二のチャネルの全体が該壁に位置している、請求項26記載の打球装置。
【請求項２８】
打球面を有しかつ複数のフェース縁によって画定されているフェース；
該フェースに接続されかつ該フェース縁から後方に延びて、包囲された容積を画定しているボディであって、ヒール面、トウ面、クラウンおよびソールを有する、ボディ；
該ボディの周囲の少なくとも一部分の周りに延びかつ該フェース縁からほぼ等距離にある、可撓性材料のバンドであって、該可撓性材料が、該フェースの剛性よりも低い剛性および該ボディの別の部分のモジュラスよりも低いモジュラスを有する、バンド
を含み、
該バンドが、該打球面におけるインパクトに由来するエネルギーの少なくとも一部がスペーシング部分を介して伝達されて該バンドに吸収され、それにより該バンドが変形して該フェースに反発力を加えるように構成されている、
打球装置。
【請求項２９】
前記バンドがスペーシング部分によって前記フェース縁から後方に離間されている、請求項28記載の打球装置。
【請求項３０】
前記ヒール面に近い第一端と前記トウ面に近い第二端との間に延びる第一および第二の境界縁によって前記ボディ上に画定された第一のチャネルをさらに含み、該第一のチャネルが該第一および第二の境界縁の間で該ボディの外面から内方に凹んでおり、該第一のチャネルがスペーシング部分によって該フェース縁から後方に離間されており、かつ該第一のチャネルが前記バンドに配置され、そのため、該第一のチャネルが前記可撓性材料により形成されている、
請求項28記載の打球装置。
【請求項３１】
前記第一のチャネルが、前記ボディの前記クラウンを少なくとも部分的に横切って延び、
前記打球装置が、前記ヒール面に近い第三端と前記トウ面に近い第四端との間に延びる第三および第四の境界縁によって該ボディ上に画定された第二のチャネルをさらに含み、
該第二のチャネルが、該ボディの前記ソールを少なくとも部分的に横切って延び、該第二のチャネルが、該第三および第四の縁の間で該ボディの該外面から内方に凹んでおり、該第二のチャネルが前記バンドに配置され、そのため、該第二のチャネルが前記可撓性材料により形成されており、該第二のチャネルが、さらなるスペーシング部分によって前記フェース縁から後方に離間されており、かつ
前記第一端が該第三端から離間されており、かつ前記第二端が該第四端から離間されており、そのため、該第一のチャネルと該第二のチャネルとが完全に切り離されている、
請求項30記載の打球装置。
【請求項３２】
前記第一および第二の境界縁が、前記ボディの全周にわたって連続的に延び、かつ前記フェース縁からほぼ等しい距離にあり、
前記第一のチャネルが、前記クラウンを少なくとも部分的に横切って延びるクラウンチャネル部分と、前記ソールを少なくとも部分的に横切って延びるソールチャネル部分と、前記ヒールおよび前記トウの周りに延びて該クラウンチャネル部分および該ソールチャネル部分を相互接続して連続的な円周形状の該第一のチャネルを形成するさらなるチャネル部分とを含む、
請求項30記載の打球装置。
【請求項３３】
前記フェースが、前記打球面を形成するフェースプレートと、該フェースプレートの内側面に接続された多孔性補剛構造とを含む、請求項28記載の打球装置。
【請求項３４】
前記フェースがフェース部材の一部として形成され、かつ前記ヘッドが前記ボディの一部分を形成するボディ部材をさらに含み、前記バンドが該フェース部材を該ボディ部材に接続する、請求項28記載の打球装置。
【請求項３５】
前記バンドがラップジョイントによって前記フェース部材および前記ボディ部材の少なくとも一つに接合されている、請求項34記載の打球装置。
【請求項３６】
請求項1〜35のいずれか一項記載の打球装置と、該打球装置に接続されたシャフトとを含む、ゴルフクラブ。
【手続補正２】
【補正対象書類名】明細書
【補正対象項目名】００３４
【補正方法】変更
【補正の内容】
【００３４】
本発明の他の局面は、上記のようなヘッドまたは他の打球装置およびヘッドに接続され、かつユーザによって把持されるように構成されたシャフトを含むゴルフクラブまたは他の打球装置に関する。本発明の局面は、上記のような少なくとも一つのゴルフクラブを含むゴルフクラブのセットに関する。本発明のなおさらなる局面は、上記のような打球装置を形成することを含む、上記のような打球装置を製造する方法に関する。
[本発明1001]
ボールを打つように構成された打球面を有するフェース；
該フェースに接続されかつ該フェースから後方に延びるボディであって、該フェースの少なくとも一つの周縁に隣接して配置されたインパクトに影響する構造を有し、ボールとのインパクトによって生成される力の少なくとも一部分が該インパクトに影響する構造に吸収され、該ボールとのインパクト時にヘッドによって生成される反発力の少なくとも一部分が該インパクトに影響する構造によって生成される、ボディ
を含み、
該フェースが、該フェースの幾何学的中心の近くにおいて約4,600〜5,600lb-in2の剛性を有する、
打球装置。
[本発明1002]
前記インパクトに影響する構造が、前記フェースの少なくとも一つの周縁に隣接して前記ボディの周縁部の周りに延びる少なくとも一つの細長い凹んだチャネルを含む、本発明1001の打球装置。
[本発明1003]
前記チャネルが前記ボディの外面に位置する、本発明1002の打球装置。
[本発明1004]
前記チャネルが前記ボディの内面に位置する、本発明1002の打球装置。
[本発明1005]
前記インパクトに影響する構造が、前記ボディの、前記フェースの材料よりも低いモジュラスを有する可撓性材料で形成された領域を含む、本発明1001の打球装置。
[本発明1006]
前記フェースが、該フェースの剛性を高める補剛構造を有する、本発明1001の打球装置。
[本発明1007]
前記フェースが、前記打球面を形成するフェースプレートと、該フェースプレートの内側面に接続された多孔性補剛構造とを含む、本発明1001の打球装置。
[本発明1008]
前記多孔性補剛構造が、六角形のチャンバを有するハニカム構造を形成する複数の内壁を含む、本発明1007の打球装置。
[本発明1009]
前記フェースがリヤプレートをさらに含み、前記多孔性補剛構造が前記フェースプレートと該リヤプレートとの間に挟まれている、本発明1007の打球装置。
[本発明1010]
ボールとのインパクトによって生成される力の大部分が前記インパクトに影響する構造に吸収され、該ボールとのインパクト時に前記ヘッドによって生成される反発力の大部分が該インパクトに影響する構造によって生成される、本発明1001の打球装置。
[本発明1011]
本発明1001の打球装置と、該打球装置に接続されたシャフトとを含む、ゴルフクラブ。
[本発明1012]
打球面を有しかつ複数のフェース縁によって画定されているフェース；
該フェースに接続されかつ該フェース縁から後方に延びて、包囲された容積を画定しているボディであって、ヒール面、トウ面、クラウンおよびソールを有する、ボディ；
該ボディの全周にわたって連続的に延びかつ該フェース縁からほぼ等しい距離にある第一および第二の境界縁によって該ボディ上に画定されているチャネルであって、該第一および第二の環状の境界縁の間で該ボディの外面から凹んでおり、該クラウンを少なくとも部分的に横切って延びるクラウンチャネル部分と、該ソールを少なくとも部分的に横切って延びるソールチャネル部分と、該ヒール面および該トウ面の周りに延びて該クラウンチャネル部分および該ソールチャネル部分を相互接続して連続形状のチャネルを形成するさらなるチャネル部分とを含む、チャネル
を含み、
該チャネルが、スペーシング部分によって該フェース縁から後方に離間されており、
該チャネルが、該打球面におけるインパクトに由来するエネルギーの少なくとも一部が該スペーシング部分を介して伝達されて該チャネルに吸収され、それにより該チャネルが変形して該フェースに反発力を加えるように構成されている、
打球装置。
[本発明1013]
前記チャネルが、前記インパクトのエネルギーの大部分が該チャネルに吸収され、該インパクト中の前記フェースのフェース反発の大部分が、該チャネルによって該フェースに加えられる反発力から直接導出されるように構成されている、本発明1012の打球装置。
[本発明1014]
前記フェースが、該フェースの幾何学的中心の近くにおいて、約4,600〜5,600lb-in2の剛性を有する、本発明1013の打球装置。
[本発明1015]
前記フェースが、表面に前記打球面を有するフェースプレートと、該フェースプレートの内面と係合したセル状補剛構造とをさらに含む、本発明1012の打球装置。
[本発明1016]
本発明1012の打球装置と、該打球装置に接続されたシャフトとを含み、該打球装置がゴルフクラブヘッドである、ゴルフクラブ。
[本発明1017]
打球面を有しかつ複数のフェース縁によって画定されているフェース；
該フェースに接続されかつ該フェース縁から後方に延びて、包囲された容積を画定しているボディであって、ヒール面、トウ面、クラウンおよびソールを有する、ボディ；
該ヒール面に近い第一端と該トウ面に近い第二端との間に延びる第一および第二の境界縁によって該ボディ上に画定されている第一のチャネルであって、該ボディの該クラウンを少なくとも部分的に横切って延び、該第一の縁および該第二の縁の間で該ボディの外面から内方に凹んでいる、第一のチャネル；
該ヒール面に近い第三端と該トウ面に近い第四端との間に延びる第三および第四の境界縁によって該ボディ上に画定されている第二のチャネルであって、該ボディの該ソールを少なくとも部分的に横切って延び、該第三の縁および該第四の縁の間で該ボディの該外面から内方に凹んでいる、第二のチャネル
を含み、
該第一端が該第三端から離間されており、該第二端が該第四端から離間されており、そのため、該第一のチャネルと該第二のチャネルとが完全に切り離されており、
該第一および第二のチャネルがスペーシング部分によって該フェース縁から後方に離間されており、
該第一および第二のチャネルが、該打球面におけるインパクトに由来するエネルギーの少なくとも一部が該スペーシング部分を介して伝達されて該第一および第二のチャネルの少なくとも一つに吸収され、それにより該第一および第二のチャネルの該少なくとも一つが変形して該フェースに反発力を加えるように構成されている、
打球装置。
[本発明1018]
前記第一および第二のチャネルを含む、前記ボディの少なくとも一部分が、前記フェースの剛性よりも低い剛性を有する、本発明1017の打球装置。
[本発明1019]
前記第一端および前記第二端がいずれも前記ヘッドの最外周の一方の側に位置し、かつ前記第三端および前記第四端がいずれも該最外周の反対側に位置する、本発明1017の打球装置。
[本発明1020]
前記ボディの、少なくとも前記第一のチャネルおよび前記第二のチャネルを含む部分が、該ボディの第二の部分の材料よりも低いモジュラスを有する可撓性材料で形成されている、本発明1017の打球装置。
[本発明1021]
前記ボディの前記第二の部分が前記スペーシング部分を含む、本発明1020の打球装置。
[本発明1022]
前記フェースが、該フェースの剛性を高める補剛構造を有する、本発明1017の打球装置。
[本発明1023]
前記フェースが、前記打球面を形成するフェースプレートと、該フェースプレートの内側面に接続された多孔性補剛構造とを含む、本発明1017の打球装置。
[本発明1024]
前記多孔性補剛構造が、六角形のチャンバを有するハニカム構造を形成する複数の内壁を含む、本発明1023の打球装置。
[本発明1025]
前記フェースがリヤプレートをさらに含み、前記多孔性補剛構造が前記フェースプレートと該リヤプレートとの間に挟まれている、本発明1023の打球装置。
[本発明1026]
ボールとのインパクトによって生成される力の大部分がインパクトに影響する構造に吸収され、該ボールとのインパクト時にヘッドによって生成される反発力の大部分が該インパクトに影響する構造によって生成される、本発明1017の打球装置。
[本発明1027]
前記第一のチャネルが、該第一のチャネルの中心の近くにおいて前記第一端および前記第二端よりも深く凹んでおり、かつ該第一のチャネルの深さが、該第一端および該第二端から該中心に向けて徐々に深くなっており、かつ前記第二のチャネルが、該第二のチャネルの中心の近くにおいて前記第三端および前記第四端よりも深く凹んでおり、かつ該第二のチャネルの深さが、該第三端および該第四端から該中心に向けて徐々に深くなっている、本発明1017の打球装置。
[本発明1028]
前記フェースがフェース部材の一部として形成されており、かつ前記ヘッドが、該フェース部材に接続されかつ前記ボディの少なくとも一部分を形成するボディ部材をさらに含む、本発明1017の打球装置。
[本発明1029]
前記フェース部材が、前記フェースおよび該フェースから後方に延びる壁を含み、該壁が前記ボディ部材と組み合わさって前記ボディを画定し、前記第一のチャネルおよび前記第二のチャネルの全体が該壁に位置している、本発明1028の打球装置。
[本発明1030]
本発明1017の打球装置と、該打球装置に接続されたシャフトとを含む、ゴルフクラブ。
[本発明1031]
打球面を有しかつ複数のフェース縁によって画定されているフェース；
該フェースに接続されかつ該フェース縁から後方に延びて、包囲された容積を画定しているボディであって、ヒール面、トウ面、クラウンおよびソールを有する、ボディ；
該ボディの周囲の少なくとも一部分の周りに延びかつ該フェース縁からほぼ等距離にある、可撓性材料のバンドであって、該可撓性材料が、該フェースの剛性よりも低い剛性および該ボディの別の部分のモジュラスよりも低いモジュラスを有する、バンド
を含み、
該バンドが、該打球面におけるインパクトに由来するエネルギーの少なくとも一部がスペーシング部分を介して伝達されて該バンドに吸収され、それにより該バンドが変形して該フェースに反発力を加えるように構成されている、
打球装置。
[本発明1032]
前記バンドがスペーシング部分によって前記フェース縁から後方に離間されている、本発明1031の打球装置。
[本発明1033]
前記ヒール面に近い第一端と前記トウ面に近い第二端との間に延びる第一および第二の境界縁によって前記ボディ上に画定された第一のチャネルをさらに含み、該第一のチャネルが該第一および第二の境界縁の間で該ボディの外面から内方に凹んでおり、該第一のチャネルがスペーシング部分によって該フェース縁から後方に離間されており、かつ該第一のチャネルが前記バンドに配置され、そのため、該第一のチャネルが前記可撓性材料により形成されている、
本発明1031の打球装置。
[本発明1034]
前記第一のチャネルが、前記ボディの前記クラウンを少なくとも部分的に横切って延び、
前記打球装置が、前記ヒール面に近い第三端と前記トウ面に近い第四端との間に延びる第三および第四の境界縁によって該ボディ上に画定された第二のチャネルをさらに含み、
該第二のチャネルが、該ボディの前記ソールを少なくとも部分的に横切って延び、該第二のチャネルが、該第三および第四の縁の間で該ボディの該外面から内方に凹んでおり、該第二のチャネルが前記バンドに配置され、そのため、該第二のチャネルが前記可撓性材料により形成されており、該第二のチャネルが、さらなるスペーシング部分によって前記フェース縁から後方に離間されており、かつ
前記第一端が該第三端から離間されており、かつ前記第二端が該第四端から離間されており、そのため、該第一のチャネルと該第二のチャネルとが完全に切り離されている、
本発明1033の打球装置。
[本発明1035]
前記第一および第二の境界縁が、前記ボディの全周にわたって連続的に延び、かつ前記フェース縁からほぼ等しい距離にあり、
前記第一のチャネルが、前記クラウンを少なくとも部分的に横切って延びるクラウンチャネル部分と、前記ソールを少なくとも部分的に横切って延びるソールチャネル部分と、前記ヒールおよび前記トウの周りに延びて該クラウンチャネル部分および該ソールチャネル部分を相互接続して連続的な円周形状の該第一のチャネルを形成するさらなるチャネル部分とを含む、
本発明1033の打球装置。
[本発明1036]
前記フェースが、前記打球面を形成するフェースプレートと、該フェースプレートの内側面に接続された多孔性補剛構造とを含む、本発明1031の打球装置。
[本発明1037]
前記フェースがフェース部材の一部として形成され、かつ前記ヘッドが前記ボディの一部分を形成するボディ部材をさらに含み、前記バンドが該フェース部材を該ボディ部材に接続する、本発明1031の打球装置。
[本発明1038]
前記バンドがラップジョイントによって前記フェース部材および前記ボディ部材の少なくとも一つに接合されている、本発明1037の打球装置。
[本発明1039]
本発明1031の打球装置と、該打球装置に接続されたシャフトとを含む、ゴルフクラブ。